(57)【特許請求の範囲】
【請求項１】
互いに突き合わせる周壁を有する上ケースと下ケースとからなり、記録テープが巻装されたリールを収容するケースを備え、前記上ケース及び前記下ケースの少なくとも一方が、調湿効果を備えた樹脂材で成形された複数個の第１の記録テープカートリッジと、
互いに突き合わせる周壁を有する上ケースと下ケースとからなり、記録テープが巻装されたリールを収容するケースを備え、前記上ケース及び前記下ケースが、調湿効果を備えていない樹脂材で成形された複数個の第２の記録テープカートリッジと、
を収納ケースに前記リールの軸方向に並べて収納する包装方法であって、
前記第１の記録テープカートリッジを少なくとも前記収納ケースにおける前記リールの軸方向両端部に収納することを特徴とする記録テープカートリッジの包装方法。
【請求項２】
互いに突き合わせる周壁を有する上ケースと下ケースとからなり、記録テープが巻装されたリールを収容するケースを備え、前記上ケース及び前記下ケースの少なくとも一方が、調湿効果を備えた樹脂材で成形された少なくとも１個の第１の記録テープカートリッジと、
互いに突き合わせる周壁を有する上ケースと下ケースとからなり、記録テープが巻装されたリールを収容するケースを備え、前記上ケース及び前記下ケースが、調湿効果を備えていない樹脂材で成形されるとともに、前記第１の記録テープカートリッジよりも数量の多い複数個の第２の記録テープカートリッジと、
を収納ケースに前記リールの軸方向に並べて収納する包装方法であって、
前記第１の記録テープカートリッジを前記第２の記録テープカートリッジで挟むようにして収納することを特徴とする記録テープカートリッジの包装方法。
【請求項３】
互いに突き合わせる周壁を有する上ケースと下ケースとからなり、記録テープが巻装されたリールを収容するケースを備え、前記上ケース及び前記下ケースの少なくとも一方が、調湿効果を備えた樹脂材で成形された複数個の第１の記録テープカートリッジと、
互いに突き合わせる周壁を有する上ケースと下ケースとからなり、記録テープが巻装されたリールを収容するケースを備え、前記上ケース及び前記下ケースが、調湿効果を備えていない樹脂材で成形された複数個の第２の記録テープカートリッジと、
が収納ケースに前記リールの軸方向に並べられて収納されてなる包装体であって、
前記第１の記録テープカートリッジが、少なくとも前記収納ケースにおける前記リールの軸方向両端部に収納されていることを特徴とする記録テープカートリッジの包装体。
【請求項４】
互いに突き合わせる周壁を有する上ケースと下ケースとからなり、記録テープが巻装されたリールを収容するケースを備え、前記上ケース及び前記下ケースの少なくとも一方が、調湿効果を備えた樹脂材で成形された少なくとも１個の第１の記録テープカートリッジと、
互いに突き合わせる周壁を有する上ケースと下ケースとからなり、記録テープが巻装されたリールを収容するケースを備え、前記上ケース及び前記下ケースが、調湿効果を備えていない樹脂材で成形されるとともに、前記第１の記録テープカートリッジよりも数量の多い複数個の第２の記録テープカートリッジと、
が収納ケースに前記リールの軸方向に並べられて収納されてなる包装体であって、
前記第１の記録テープカートリッジが、前記第２の記録テープカートリッジで挟まれるようにして収納されていることを特徴とする記録テープカートリッジの包装体。
【発明の詳細な説明】
【技術分野】
【０００１】
本発明は、磁気テープ等の記録テープが巻装されたリールを収容した記録テープカートリッジの包装方法及び包装体に関する。
【背景技術】
【０００２】
従来から、コンピューター等のデータ記録再生媒体（データバックアップ）として使用される磁気テープ等の記録テープを合成樹脂製のリールに巻装し、そのリールをケース内に単一で収容してなる記録テープカートリッジが知られている。このような記録テープカートリッジは、収納ケースに複数個ずつ収納されて輸送されるが、輸送時の湿度変化によるテープ性能への影響（吸湿膨張）防止のため、その収納ケース内には調湿部材が配置される（例えば、特許文献１参照）。
【先行技術文献】
【特許文献】
【０００３】
【特許文献１】特開２００９−７８８２９号公報
【発明の概要】
【発明が解決しようとする課題】
【０００４】
しかしながら、記録テープカートリッジを複数個ずつ収納する収納ケースに調湿部材が配置される構成では、収納ケースに調湿部材を配置するスペースが必要となるため、収納ケースのコンパクト化が阻害される。
【０００５】
そこで、本発明は、上記事情に鑑み、輸送時の湿度変化によるテープ性能への影響を防止できるとともに、収納ケースのコンパクト化が図れる記録テープカートリッジの包装方法及び包装体を得ることを目的とする。
【課題を解決するための手段】
【０００６】
上記の目的を達成するために、本発明に係る請求項１に記載の記録テープカートリッジの包装方法は、互いに突き合わせる周壁を有する上ケースと下ケースとからなり、記録テープが巻装されたリールを収容するケースを備え、前記上ケース及び前記下ケースの少なくとも一方が、調湿効果を備えた樹脂材で成形された複数個の第１の記録テープカートリッジと、互いに突き合わせる周壁を有する上ケースと下ケースとからなり、記録テープが巻装されたリールを収容するケースを備え、前記上ケース及び前記下ケースが、調湿効果を備えていない樹脂材で成形された複数個の第２の記録テープカートリッジと、を収納ケースに前記リールの軸方向に並べて収納する包装方法であって、前記第１の記録テープカートリッジを少なくとも前記収納ケースにおける前記リールの軸方向両端部に収納することを特徴としている。
【０００７】
また、本発明に係る請求項３に記載の記録テープカートリッジの包装体は、互いに突き合わせる周壁を有する上ケースと下ケースとからなり、記録テープが巻装されたリールを収容するケースを備え、前記上ケース及び前記下ケースの少なくとも一方が、調湿効果を備えた樹脂材で成形された複数個の第１の記録テープカートリッジと、互いに突き合わせる周壁を有する上ケースと下ケースとからなり、記録テープが巻装されたリールを収容するケースを備え、前記上ケース及び前記下ケースが、調湿効果を備えていない樹脂材で成形された複数個の第２の記録テープカートリッジと、が収納ケースに前記リールの軸方向に並べられて収納されてなる包装体であって、前記第１の記録テープカートリッジが、少なくとも前記収納ケースにおける前記リールの軸方向両端部に収納されていることを特徴としている。
【０００８】
請求項１又は請求項３に記載の発明によれば、上ケース及び下ケースの少なくとも一方が、調湿効果を備えた樹脂材で成形された記録テープカートリッジにより、収納ケース内に収納された記録テープカートリッジの束全体を効果的に調湿することができる。したがって、輸送時の湿度変化によるテープ性能への影響を防止することができる。すなわち、記録テープの吸湿膨張による腐食及びそれに伴うドライブ装置の記録再生ヘッドでの読取書込エラーを軽減することができる。また、別途調湿部材を収納ケース内に設ける必要がないので、収納ケースのコンパクト化を図ることができる。
【０００９】
また、本発明に係る請求項２に記載の記録テープカートリッジの包装方法は、互いに突き合わせる周壁を有する上ケースと下ケースとからなり、記録テープが巻装されたリールを収容するケースを備え、前記上ケース及び前記下ケースの少なくとも一方が、調湿効果を備えた樹脂材で成形された少なくとも１個の第１の記録テープカートリッジと、互いに突き合わせる周壁を有する上ケースと下ケースとからなり、記録テープが巻装されたリールを収容するケースを備え、前記上ケース及び前記下ケースが、調湿効果を備えていない樹脂材で成形されるとともに、前記第１の記録テープカートリッジよりも数量の多い複数個の第２の記録テープカートリッジと、を収納ケースに前記リールの軸方向に並べて収納する包装方法であって、前記第１の記録テープカートリッジを前記第２の記録テープカートリッジで挟むようにして収納することを特徴としている。
【００１０】
また、本発明に係る請求項４に記載の記録テープカートリッジの包装体は、互いに突き合わせる周壁を有する上ケースと下ケースとからなり、記録テープが巻装されたリールを収容するケースを備え、前記上ケース及び前記下ケースの少なくとも一方が、調湿効果を備えた樹脂材で成形された少なくとも１個の第１の記録テープカートリッジと、互いに突き合わせる周壁を有する上ケースと下ケースとからなり、記録テープが巻装されたリールを収容するケースを備え、前記上ケース及び前記下ケースが、調湿効果を備えていない樹脂材で成形されるとともに、前記第１の記録テープカートリッジよりも数量の多い複数個の第２の記録テープカートリッジと、が収納ケースに前記リールの軸方向に並べられて収納されてなる包装体であって、前記第１の記録テープカートリッジが、前記第２の記録テープカートリッジで挟まれるようにして収納されていることを特徴としている。
【００１１】
請求項２又は請求項４に記載の発明によれば、上ケース及び下ケースの少なくとも一方が、調湿効果を備えた樹脂材で成形された第１の記録テープカートリッジにより、収納ケース内に収納された記録テープカートリッジの束全体を効果的に調湿することができる。したがって、輸送時の湿度変化によるテープ性能への影響を防止することができる。すなわち、記録テープの吸湿膨張による腐食及びそれに伴うドライブ装置の記録再生ヘッドでの読取書込エラーを軽減することができる。また、別途調湿部材を収納ケース内に設ける必要がないので、収納ケースのコンパクト化を図ることができる。
【発明の効果】
【００２１】
以上のように、本発明によれば、輸送時の湿度変化によるテープ性能への影響を防止できるとともに、収納ケースのコンパクト化が図れる記録テープカートリッジの包装方法及び包装体を提供することができる。
【図面の簡単な説明】
【００２２】
【図１】記録テープカートリッジの概略斜視図
【図２】記録テープカートリッジを上方から見た場合の概略分解斜視図
【図３】記録テープカートリッジを下方から見た場合の概略分解斜視図
【図４】記録テープカートリッジを収納ケースの両端部に収納する様子を示す概略斜視図
【図５】記録テープカートリッジの包装体の概略斜視図
【図６】記録テープカートリッジを収納ケースの中央部に収納する様子を示す概略斜視図
【発明を実施するための形態】
【００２３】
以下、本発明の実施の形態について、図面に示す実施例を基に詳細に説明する。なお、説明の便宜上、図１において、記録テープカートリッジ１０のドライブ装置への装填方向を矢印Ａで示し、それを記録テープカートリッジ１０の前方向（前側）とする。そして、矢印Ａと直交する矢印Ｂ方向を右方向（右側）とする。また、矢印Ａ方向及び矢印Ｂ方向と直交する方向を矢印Ｃで示し、それを記録テープカートリッジ１０の上方向（上側）とする。
【００２４】
まず、調湿効果を備えていない樹脂材で成形された記録テープカートリッジ１０（第２の記録テープカートリッジ）について説明する。なお、本実施形態において、調湿効果を備えていない樹脂材とは、後述する耐熱性層状シリカ多孔体が混合されていない樹脂材（ポリカーボネート等の汎用エンジニアプラスチック）である。
【００２５】
図１〜図３で示すように、記録テープカートリッジ１０は、略矩形箱状のケース１２を有している。このケース１２は、ポリカーボネート（ＰＣ）等の樹脂製の上ケース１４と下ケース１６とが、それぞれ天板１４Ａの周縁に立設された周壁１４Ｂと、底板１６Ａの周縁に立設された周壁１６Ｂとを互いに当接させた（突き合わせた）状態で、超音波溶着やビス止め等によって接合されて構成されている。
【００２６】
すなわち、例えば上ケース１４及び下ケース１６には、ビスボス１５がそれぞれ各コーナー部近傍に形成されており、下ケース１６の下面側から、そのビスボス１５に図示しないビスが螺合されることにより、ケース１２が組み立てられるようになっている。そして、ケース１２の内部には、ポリカーボネート（ＰＣ）等の樹脂材で成形され、記録テープＴが巻装されたリール２０が１つだけ回転可能に収容されている。
【００２７】
このリール２０は、軸心部を構成する有底円筒状のリールハブ２２と、その下端部に設けられる下フランジ２６とが一体に成形され、上フランジ２４がリールハブ２２の上端部に超音波溶着されて構成されている。そして、そのリールハブ２２の外周面に、情報記録再生媒体としての磁気テープ等の記録テープＴが巻回され、上フランジ２４及び下フランジ２６によって、その巻回された記録テープＴの幅方向両端部が保持されている。
【００２８】
また、リールハブ２２の底壁（底部）２８の下面（外面）には、リールギア４４が環状に形成されており、下ケース１６の略中央部には、そのリールギア４４を外部に露出させるためのギア開口部４０が穿設されている。このギア開口部４０から露出されるリールギア４４が、ドライブ装置の回転シャフト（図示省略）に形成された駆動ギア（図示省略）に噛合されて回転駆動されることにより、ケース１２内において、リール２０がケース１２に対して相対回転可能とされている。
【００２９】
また、底壁２８の下面におけるリールギア４４の径方向内側には、磁性材料でできた環状金属板であるリールプレート４６が、インサート成形により、同軸的かつ一体的に固着されており、ドライブ装置の回転シャフトに設けられた環状のマグネット（図示省略）の磁力によって吸着・保持されるようになっている。更に、リール２０は、上ケース１４及び下ケース１６の内面にそれぞれ部分的に突設されて、ギア開口部４０と同軸的な円形の軌跡上にある内壁としての遊動規制壁４２によってガタつかないように保持されている。
【００３０】
また、ケース１２の右壁１２Ｂには、リール２０に巻装された記録テープＴを引き出すための開口１８が形成されており、この開口１８から引き出される記録テープＴの自由端部には、ドライブ装置の引出部材（図示省略）によって係止（係合）されつつ引き出し操作されるリーダー部材としてのリーダーピン３０が固着されている。リーダーピン３０の記録テープＴの幅方向端部より突出した両端部には、環状溝３２が形成されており、この環状溝３２が引出部材のフック等に係止されるようになっている。
【００３１】
また、ケース１２の開口１８の内側、即ち上ケース１４の天板１４Ａ内面及び下ケース１６の底板１６Ａ内面には、ケース１２内において、リーダーピン３０を位置決めして保持する上下一対のピン保持部３６が設けられている。このピン保持部３６は、記録テープＴの引き出し側が開放された略半円形状をしており、直立状態のリーダーピン３０の両端部３４は、その開放側からピン保持部３６内に出入可能とされている。
【００３２】
また、ピン保持部３６の近傍には、板バネ３８が固定配置されるようになっており、この板バネ３８の二股状の先端部がリーダーピン３０の上下両端部３４にそれぞれ係合してリーダーピン３０をピン保持部３６に保持するようになっている。なお、リーダーピン３０がピン保持部３６に出入する際には、板バネ３８の先端部は適宜弾性変形してリーダーピン３０の移動を許容する構成である。
【００３３】
また、その開口１８は、ドア５０によって開閉される。このドア５０は、開口１８を閉塞可能な大きさの略矩形板状に形成され、ケース１２の右壁１２Ｂに沿って移動できるように、開口１８内側の天板１４Ａ及び底板１６Ａには、ドア５０の上下端部を摺動可能に嵌入させる溝部６４が形成されている。
【００３４】
また、ドア５０の後端部中央には、シャフト５２が突設されており、そのシャフト５２には、コイルバネ５８が挿嵌されている。そして、シャフト５２の後端には、そのコイルバネ５８を脱落防止とする拡開部５４が形成されている。また、下ケース１６には、そのシャフト５２に挿嵌されたコイルバネ５８の後端を係止する係止部６２を有する支持台６０が突設されている。
【００３５】
したがって、ドア５０は、シャフト５２が支持台６０上に摺動自在に支持されるとともに、コイルバネ５８の後端が係止部６２に係止されることにより、そのコイルバネ５８の付勢力によって、常時開口１８の閉塞方向へ付勢される構成である。なお、開口１８の開放時、シャフト５２を支持する支持台６６を支持台６０の後方側に更に突設しておくことが好ましい。
【００３６】
また、ドア５０の前端部には、開閉操作用の凸部５６が外方に向かって突設されている。この凸部５６が、記録テープカートリッジ１０のドライブ装置への装填に伴い、そのドライブ装置側の開閉部材（図示省略）と係合するようになっている。これにより、ドア５０がコイルバネ５８の付勢力に抗して開放される構成である。
【００３７】
また、図２、図３で示すように、ケース１２の左後部には、記録テープＴへの記録可・不可が設定されるライトプロテクト７０が左右方向にスライド可能に設けられており、ケース１２の後壁１２Ｄには、このライトプロテクト７０を人手で操作するための操作突起７２を突出させる開孔６８が形成されている。この開孔６８は、上ケース１４と下ケース１６とを接合したときに、上ケース１４の周壁１４Ｂに形成された切欠部６８Ａと、下ケース１６の周壁１６Ｂに形成された切欠部６８Ｂとによって形成される構成である。
【００３８】
また更に、下ケース１６には、ライトプロテクト７０の突部７４が露出される長孔６９が左右方向に長く穿設されており、記録テープカートリッジ１０がドライブ装置に装填されたときに、そのドライブ装置側でライトプロテクト７０の位置を検知して、記録テープＴへの記録可・不可が自動的に判断されるようになっている。なお、この突部７４は下ケース１６の下面から突出することはない。また、図２で示すように、ケース１２の右後部には、記録容量、記録形式等の各種情報が記憶されたメモリーボードＭが所定の傾斜角度（例えば４５度）で配置されるようになっている。
【００３９】
また、図２、図３で示すように、リールハブ２２の底壁２８の上面周縁には、係合ギア４８が所定の間隙を隔てて（等間隔に）複数（例えば１２０度間隔で３個）立設されており、その係合ギア４８の間で、リールギア４４上となる所定位置には、貫通孔２８Ａが複数（この場合は１２０度間隔で３個）穿設されている。そして、そのリールハブ２２の内部には、樹脂材で成形された略円板状の制動部材８０が挿設されている。
【００４０】
制動部材８０の下面８０Ａ周縁には、係合ギア４８と噛合可能な制動ギア８４が環状に形成されており、制動部材８０の上面には、上ケース１４の天板１４Ａ内面から下方へ向かって突設された平面視略十字状の回転規制リブ７６が内部に挿入される平面視略十字状の係合突起８６が、その回転規制リブ７６の高さよりも若干高くなるように立設されている。これにより、制動部材８０は、ケース１２（上ケース１４）に対して回転不能とされるとともに、リールハブ２２内において、上下方向に移動可能とされる構成である。
【００４１】
また、上ケース１４と制動部材８０との間には、圧縮コイルスプリング９８が配設されている。すなわち、この圧縮コイルスプリング９８は、その一端が上ケース１４の回転規制リブ７６の外側に突設された環状突起７８の内側（回転規制リブ７６と環状突起７８の間）に当接し、他端が制動部材８０の上面に設けられた環状溝８８内に当接した状態で配設されている。そして、この圧縮コイルスプリング９８の付勢力により、制動部材８０は、常時下方に向かって付勢されるようになっている。
【００４２】
したがって、記録テープカートリッジ１０は、不使用時（ドライブ装置に装填されないとき）において、常時制動ギア８４が係合ギア４８と噛合する状態とされて、リール２０のケース１２に対する相対回転が阻止された回転ロック状態とされる構成である。そして、リール２０は、この付勢力によって下ケース１６側に押し付けられ、リールギア４４をギア開口部４０から露出させるようになっている。
【００４３】
また、リールハブ２２の内部で、かつ制動部材８０の下側（底壁２８と制動部材８０との間）には、樹脂材で成形された平面視略正三角形状の解除部材９０が挿設されている。解除部材９０には、適宜位置に所定の形状とされた貫通孔９２が複数（３つ）穿設されており、解除部材９０の軽量化が図られている。そして、解除部材９０の下面で、かつ各頂点部分には、貫通孔２８Ａに挿通されて底壁２８の下面からリールギア４４上に所定高さで突出する脚部９４が突設されている。
【００４４】
また、解除部材９０の上面９０Ａ中央には平面状の支持凸部９６が形成されており、制動部材８０の下面８０Ａ中央に突設された略半球状の解除突起８２が当接するようになっている（図２、図３参照）。これにより、制動部材８０と解除部材９０との接触面積が低減され、使用時（リール２０の回転時）における摺動抵抗が軽減される構成である。なお、制動部材８０の材質としては、例えばポリアセタール（ＰＯＭ）が用いられ、解除部材９０の材質としては、例えばポリブチレンテレフタレート（ＰＢＴ）が用いられる。
【００４５】
以上のような構成の記録テープカートリッジ１０において、次にその作用について説明する。不使用時（保管時や運搬時等）において、記録テープカートリッジ１０の開口１８は、ドア５０によって閉塞されている。そして、圧縮コイルスプリング９８の付勢力によって、制動部材８０が回転ロック位置に位置して制動ギア８４を係合ギア４８に噛合させている。これにより、リール２０は、ケース１２に対する回転が阻止されている。
【００４６】
記録テープＴを使用する際には、前壁１２Ａを先頭にして記録テープカートリッジ１０を矢印Ａ方向に沿って、ドライブ装置内へ装填する。すると、まず、そのドライブ装置側に設けられた開閉部材が、ドア５０の凸部５６に係合する。そして、この状態で、記録テープカートリッジ１０が更に矢印Ａ方向へ移動すると、開閉部材が凸部５６をコイルバネ５８の付勢力に抗しつつ相対的に後方へ移動させる。すると、その凸部５６が突設されているドア５０は、右壁１２Ｂに沿って溝部６４内を後側へ摺動し、開口１８を開放する。
【００４７】
こうして、記録テープカートリッジ１０がドライブ装置に所定深さ装填され、開口１８が完全に開放されると、記録テープカートリッジ１０は所定高さ下降し、ドライブ装置の位置決め部材（図示省略）が、下ケース１６に形成された位置決め用の穴部（図示省略）に挿入される。これにより、記録テープカートリッジ１０がドライブ装置内における所定位置に正確に位置決めされ、ドア５０のそれ以上の摺動（後方への移動）が規制される。
【００４８】
また、この記録テープカートリッジ１０の下降動作によって、回転シャフトが相対的にギア開口部４０から進入し、駆動ギアをリールギア４４に噛合させる。すると、その駆動ギアがリールギア４４と噛合する動作に伴って、リールギア４４上に突出している脚部９４が、圧縮コイルスプリング９８の付勢力に抗して押し上げられ、解除部材９０を介して制動部材８０が上方へ押し上げられて、制動ギア８４と係合ギア４８との噛合が解除される。
【００４９】
そして、駆動ギアとリールギア４４とが完全に噛合した状態で、リールプレート４６が、駆動ギアの内側に設けられた環状のマグネットの磁力によって吸着・保持されることにより、リール２０は、駆動ギアに対するリールギア４４の噛合が維持されつつ、ケース１２内で、そのケース１２に対して相対回転可能となるロック解除状態とされる。
【００５０】
一方、開放された開口１８からは、ドライブ装置側に設けられた引出部材がケース１２内に進入し、ピン保持部３６に位置決め保持されたリーダーピン３０を把持して引き出す。なお、このとき、記録テープカートリッジ１０はドライブ装置内において正確に位置決めされているので、引出部材は確実にリーダーピン３０の環状溝３２にそのフックを係止させることができる。また、リール２０は、その回転ロック状態が解除されているので、リーダーピン３０の引出動作に伴って回転できる。
【００５１】
こうして、開口１８から抜き出されたリーダーピン３０は、図示しない巻取リールに収容される。そして、その巻取リールとリール２０とを同期して回転駆動することにより、記録テープＴは、巻取リールに巻き取られつつ順次ケース１２から引き出され、所定のテープ経路に沿って配設された記録再生ヘッド（図示省略）によって情報の記録や再生が行われる。
【００５２】
情報の記録や再生が終了した記録テープカートリッジ１０をドライブ装置から排出する際には、まず、回転シャフトが逆回転することにより、記録テープＴがリール２０に巻き戻される。そして、記録テープＴがリール２０に最後まで巻き戻されて、リーダーピン３０がピン保持部３６に保持されると、記録テープカートリッジ１０は所定高さ上昇し、位置決め部材が位置決め用の穴部から抜き出されるとともに、回転シャフトがギア開口部４０から抜き出され、リールギア４４に対する駆動ギアの噛合が解除される。
【００５３】
すると、圧縮コイルスプリング９８の付勢力により、制動部材８０及び解除部材９０が下方に向かって押圧され、貫通孔２８Ａに挿通されている脚部９４が底壁２８の下面からリールギア４４上に所定高さ突出するとともに、制動ギア８４が係合ギア４８に噛合する。これにより、リール２０は、再度ケース１２内での相対回転が阻止された回転ロック状態となり、その後、記録テープカートリッジ１０は、図示しないイジェクト機構によって矢印Ａ方向とは反対方向に移動される。
【００５４】
すると、この移動に伴って、ドア５０はコイルバネ５８の付勢力によって開口１８の閉塞方向へ摺動し、開口１８を完全に閉塞する（初期状態に復帰する）。こうして、リール２０のケース１２に対する相対回転がロックされ、開口１８が閉塞された記録テープカートリッジ１０は、ドライブ装置内から完全に排出される。
【００５５】
以上のような記録テープカートリッジ１０において、次にその輸送時における包装方法及び包装体１０２について説明する。なお、図４〜図６において示す矢印ＦＲを包装体１０２の前方向、矢印ＲＩを包装体１０２の右方向、矢印ＵＰを包装体１０２の上方向とする。図４、図５で示すように、輸送時には、記録テープカートリッジ１０（後述する記録テープカートリッジ１００を含む）は、例えばダンボールでできた矩形箱状の収納ケース１０４に複数個（図示のものは５個）ずつ収納されて包装される。
【００５６】
すなわち、各記録テープカートリッジ１０は、周壁１４Ｂ、１６Ｂ（前壁１２Ａ、右壁１２Ｂ、左壁１２Ｃ、後壁１２Ｄ）を外側（上下方向及び前後方向）に向けた所謂縦置き状態で（天板１４Ａと底板１６Ａとを左右方向に重ね合わせるような状態で）収納ケース１０４内に収納されるようになっており、この収納ケース１０４は、複数個（例えば５個）の記録テープカートリッジ１０（後述する記録テープカートリッジ１００を含む）が、ほぼ隙間無く収納される程度の大きさに形成されている。
【００５７】
そして、この収納ケース１０４は、複数個（例えば５個）の記録テープカートリッジ１０（後述する記録テープカートリッジ１００を含む）が、ほぼ隙間無く（収納ケース１０４内において、前後方向、上下方向、左右方向に殆ど隙間が無い状態で）収納された後、その上側の開口部１０６が、収納ケース１０４の後壁１０４Ｂに連設されている蓋体１０８によって封止されることで、図５で示すような包装体１０２を構成するようになっている。
【００５８】
なお、複数個の記録テープカートリッジ１０（後述する記録テープカートリッジ１００を含む）が、ほぼ隙間無く収納ケース１０４に収納されていても、その収納ケース１０４（包装体１０２）を開封し易いように、収納ケース１０４の前壁１０４Ａ側における開口部１０６の辺縁中央部には、手指を蓋体１０８の先端に連設されている差込フラップ１０９に掛けられるようにするための半円弧状の切欠部１０７が形成されている（図４〜図６参照）。
【００５９】
また、このような包装体１０２（収納ケース１０４内）には、上ケース１４及び下ケース１６の少なくとも一方が、調湿効果を備えた樹脂材（後述）で成形された記録テープカートリッジ１００（第１の記録テープカートリッジ）が、少なくとも１個は混入されて収納されるようになっている。したがって、収納ケース１０４内（包装体１０２）は、この記録テープカートリッジ１００（ケース１２）によって調湿される。
【００６０】
ここで、その調湿効果を備えた樹脂材について説明する。この樹脂材は、例えば層状シリケート界面活性剤を作用させて合成した、ハニカム状多孔構造を有する耐熱性層状シリカ多孔体を、例えばポリ塩化ビニル（ＰＶＣ）、ポリエチレン（ＰＥ）、ポリプロピレン（ＰＰ）、ポリスチレン（ＰＳ）、ポリウレタン（ＰＵ）、ポリアミド（ＰＡ）、ポリカーボネート（ＰＣ）、アクリロニトリル・ブタジエン・スチレン（ＡＢＳ）等の合成樹脂に混合することで得られる。
【００６１】
耐熱性層状シリカ多孔体は、含水率１０重量％以上の結晶性層状珪酸塩中の層間に存在するアルカリ金属イオンを有機物陽イオンとイオン交換して、その有機陽イオンを層間に導入し、イオン交換により遊離したアルカリ金属イオンを除去した結晶性層状珪酸塩を６００℃〜１２００℃の酸化雰囲気中で焼成して有機物陽イオンを燃焼させることにより得られる。
【００６２】
なお、結晶性層状珪酸塩は、非晶質珪酸塩から合成できる。非晶質珪酸塩としては、市販の粉末珪酸ナトリウム等がある。具体的には、結晶性層状珪酸塩としては、例えばカネマイト（ＮａＨＳｉ２Ｏ５・３Ｈ２Ｏ）、ジ珪酸ナトリウム（Ｎａ２Ｓｉ２Ｏ３）、マカタイト（Ｎａ２Ｓｉ４Ｏ９・５Ｈ２Ｏ）、アイラアイト（Ｎａ２Ｓｉ８Ｏ１７・ＸＨ２Ｏ）、マガディアイト（Ｎａ２Ｓｉ１４Ｏ２９・ＸＨ２Ｏ）、ケニヤイト（Ｎａ２Ｓｉ２０Ｏ４１・ＸＨ２Ｏ）などがある。
【００６３】
次に、その記録テープカートリッジ１００が混入された包装体１０２の作用について説明する。上記したように、この包装体１０２は、調湿効果を備えた樹脂材でケース１２（上ケース１４及び下ケース１６の少なくとも一方）が成形された記録テープカートリッジ１００が、少なくとも１個、調湿効果を備えた樹脂材でケース１２が成形されていない複数個の記録テープカートリッジ１０と共に、収納ケース１０４に収納されて構成されている。
【００６４】
すなわち、各記録テープカートリッジ１０、１００は、上記したように、周壁１４Ｂ、１６Ｂ（前壁１２Ａ、右壁１２Ｂ、左壁１２Ｃ、後壁１２Ｄ）を外側（上下方向及び前後方向）に向けた縦置き状態で（天板１４Ａと底板１６Ａとを左右方向に重ね合わせるような状態で）収納ケース１０４内に収納されている。したがって、少なくとも調湿効果を備えた樹脂材で成形されたケース１２の前壁１２Ａ、右壁１２Ｂ、左壁１２Ｃ、後壁１２Ｄによって、収納ケース１０４内を調湿することができる。
【００６５】
つまり、縦置き状態で収納された記録テープカートリッジ１００では、常に前壁１２Ａ、右壁１２Ｂ、左壁１２Ｃ、後壁１２Ｄを外気に触れさせる（収納ケース１０４の内壁面に対向させる）ことができるので、それによって、収納ケース１０４内（記録テープカートリッジ１０、１００の束全体）を調湿することができる。
【００６６】
したがって、この包装体１０２では、輸送時の湿度変化によるテープ性能への影響を防止することができ、記録テープＴの吸湿膨張による腐食及びそれに伴うドライブ装置の記録再生ヘッドでの読取書込エラーを軽減することができる。よって、このような包装体１０２は、高容量化のために薄く長く形成された記録テープＴにとって特に有効となる。
【００６７】
また、この包装体１０２では、別途調湿部材を収納ケース１０４内に設ける必要がなくなるため、収納ケース１０４のコンパクト化を図ることができる。つまり、収納ケース１０４は、複数個（例えば５個）の記録テープカートリッジ１０、１００が、ほぼ隙間無く収納できる程度の大きさに形成されていればよいので、必要最小限の大きさで済む。また、これにより、収納ケース１０４を製造するための材料費を低減することができるので、その製造コストを低減することができる。
【００６８】
なお、調湿効果を備えた樹脂材でケース１２（上ケース１４及び下ケース１６の少なくとも一方）が成形された記録テープカートリッジ１００の数量が２個以上のときには、図４、図５で示すように、各記録テープカートリッジ１００を収納ケース１０４の両端部に（両端部を含んで）それぞれ収納することが望ましい。
【００６９】
これによれば、調湿効果を備えた樹脂材で成形された一方の記録テープカートリッジ１００の上ケース１４（天板１４Ａ及び周壁１４Ｂを含む）と、調湿効果を備えた樹脂材で成形された他方の記録テープカートリッジ１００の下ケース１６（底板１６Ａ及び周壁１６Ｂを含む）とが、それぞれ外気に触れる（収納ケース１０４の内壁面に対向する）ことになるので、収納ケース１０４内（記録テープカートリッジ１０、１００の束全体）をより効果的に調湿することができる。
【００７０】
また、調湿効果を備えた樹脂材でケース１２が成形された記録テープカートリッジ１００の数量が、調湿効果を備えた樹脂材でケース１２が成形されていない記録テープカートリッジ１０の数量よりも少ないとき、例えば記録テープカートリッジ１００が１個のときには、図６で示すように、その記録テープカートリッジ１００を各記録テープカートリッジ１０で挟むようにして収納することが望ましい。つまり、この場合は、収納ケース１０４の左右方向中央部に収納することが望ましい。
【００７１】
これによれば、調湿効果を備えた樹脂材で成形された記録テープカートリッジ１００のケース１２の前壁１２Ａ、右壁１２Ｂ、左壁１２Ｃ、後壁１２Ｄ（周壁１４Ｂ、１６Ｂ）が、収納ケース１０４の左右方向中央部で外気に触れる（収納ケース１０４の内壁面に対向する）ことになるので、その収納ケース１０４内（記録テープカートリッジ１０、１００の束全体）をほぼ均等に（より効果的に）調湿することができる。
【００７２】
なお、収納ケース１０４は、上記したダンボール製に限定されるものではなく、例えば透明な薄いプラスチック製等であってもよい。また、ドア５０を、調湿効果を備えた樹脂材で成形してもよい。但し、リール２０は、その寸法精度に高精度が要求されるため、調湿効果を備えた樹脂材で成形しない方が望ましい。また、２色成形等により、周壁１４Ｂ、１６Ｂの少なくとも一部を、調湿効果を備えた樹脂材で成形するようにしてもよい。
【００７３】
以上、本実施形態に係る記録テープカートリッジ１０、１００の包装方法及び包装体１０２について説明したが、本実施形態に係る包装方法及び包装体１０２は、図示のものに限定されるものではなく、本発明の要旨を逸脱しない範囲内において、適宜設計変更可能なものである。例えば、収納ケース１０４内には、調湿効果を備えた樹脂材でケース１２が成形された記録テープカートリッジ１００のみを収納するようにしてもよい。
【００７４】
また、リール２０に巻回される記録テープＴは、情報の記録及び記録した情報の再生が可能な長尺テープ状の情報記録再生媒体として把握されるものであれば足り、リール２０を収容する記録テープカートリッジ１０が、如何なる記録再生方式の記録テープＴにも適用可能であることは言うまでもない。
【符号の説明】
【００７５】
１０  記録テープカートリッジ
１２  ケース
１４  上ケース
１６  下ケース
２０  リール
３０  リーダーピン
４０  ギア開口部
５０  ドア
８０  制動部材
９０  解除部材
１００  記録テープカートリッジ
１０２  包装体
１０４  収納ケース
１０６  開口部
１０７  切欠部
１０８  蓋体
１０９  差込フラップ
Ｔ  記録テープ
【図１】
0005575536.tif 000002
【図２】
0005575536.tif 000003
【図３】
0005575536.tif 000004
【図４】
0005575536.tif 000005
【図５】
0005575536.tif 000006
【図６】
0005575536.tif 000007